(57)【要約】【課題】筒体を構成した状態で平たく折り畳むことができるようにして、包装箱を筒体の状態でコンパクトな形態にすることを可能とする。【解決手段】第１面部１１０と、第２面部１２１と、第３面部１２２と、第４面部１３０と、第５面部１６１と、第６面部１６２とを備える。第４面部１３０は、第２方向Ｙから見て、第１面部１１０側とは反対側に凸状の湾曲形状を有している。第１面部１１０、第２面部１２１、第３面部１２２および第４面部１３０によって構成される筒体の周面において、第４面部１３０の長さは、第１面部１１０と第２面部１２１と第３面部１２２とを合わせた長さと等しい。【選択図】図２
2018177309.tif 000002
【特許請求の範囲】
【請求項１】
第１方向および該第１方向に直交する第２方向に延在する第１面部と、
前記第１面部の前記第１方向の一方側の縁から立設された第２面部と、
前記第１面部の前記第１方向の他方側の縁から立設され、前記第２面部と対向する第３面部と、
前記第１面部に対向し、前記第２面部と前記第３面部とを互いに接続する第４面部と、
前記第１面部、前記第２面部、前記第３面部および前記第４面部によって構成される筒体の前記第２方向の一方側の開口を塞ぐように配置された第５面部と、
前記筒体の前記第２方向の他方側の開口を塞ぐように配置され、前記第５面部と対向する第６面部とを備え、
前記第４面部は、前記第２方向から見て、第１面部側とは反対側に凸状の湾曲形状を有し、
前記筒体の周面において、前記第４面部の長さは、前記第１面部と前記第２面部と前記第３面部とを合わせた長さと等しい、包装箱。
【請求項２】
前記第２面部および前記第３面部の各々の前記第２方向の少なくとも一方の縁に、前記第１面部に沿うように折り曲げられる舌片部が設けられており、
前記舌片部の根元部と該根元部に隣接している前記第４面部の前記第１方向の縁部との間に跨るように連結片が設けられている、請求項１に記載の包装箱。
【発明の詳細な説明】
【技術分野】
【０００１】
本発明は、包装箱に関する。
【背景技術】
【０００２】
半円筒形状を成す筒状紙箱の構成を開示した先行文献として、実用新案登録第３０２６４７２号(特許文献１)がある。特許文献１に記載された筒状紙箱は、筒状の軸方向に沿った底板と、側板と、連結片と、一対の蓋板と、二対の折込片とを備える。側板は、底板の一方の側縁から延長されている。連結片は、底板の他方の側縁から延長され、側板と連結される。一対の蓋板は、底板の両端縁から延長されている。二対の折込片は、各蓋板と側板との間、および、各蓋板と連結片との間に設けられている。
【先行技術文献】
【特許文献】
【０００３】
【特許文献１】実用新案登録第３０２６４７２号
【発明の概要】
【発明が解決しようとする課題】
【０００４】
特許文献１に記載された筒状紙箱においては、組み立て時に側板を湾曲させて連結片に連結することにより筒体を構成しており、筒体を構成した状態で平たく折り畳むことができない。
【０００５】
本発明は、上記の問題点に鑑みてなされたものであって、筒体を構成した状態で平たく折り畳むことができ、包装箱を筒体の状態でコンパクトな形態にすることができる、包装箱を提供することを目的とする。
【課題を解決するための手段】
【０００６】
本発明に基づく包装箱は、第１面部と、第２面部と、第３面部と、第４面部と、第５面部と、第６面部とを備える。第１面部は、第１方向および第１方向に直交する第２方向に延在する。第２面部は、第１面部の上記第１方向の一方側の縁から立設されている。第３面部は、第１面部の上記第１方向の他方側の縁から立設され、第２面部と対向している。第４面部は、第１面部に対向し、第２面部と第３面部とを互いに接続している。第５面部は、第１面部、第２面部、第３面部および第４面部によって構成される筒体の上記第２方向の一方側の開口を塞ぐように配置されている。第６面部は、筒体の上記第２方向の他方側の開口を塞ぐように配置され、第５面部と対向している。第４面部は、上記第２方向から見て、第１面部側とは反対側に凸状の湾曲形状を有している。筒体の周面において、第４面部の長さは、第１面部と第２面部と第３面部とを合わせた長さと等しい。
【０００７】
本発明の一形態においては、第２面部および第３面部の各々の上記第２方向の少なくとも一方の縁に、第１面部に沿うように折り曲げられる舌片部が設けられている。舌片部の根元部と根元部に隣接している第４面部の上記第１方向の縁部との間に跨るように連結片が設けられている。
【発明の効果】
【０００８】
本発明によれば、筒体を構成した状態で平たく折り畳むことができ、包装箱を筒体の状態でコンパクトな形態にすることができる。
【図面の簡単な説明】
【０００９】
【図１】本発明の一実施形態に係る包装箱を構成するシートの展開図である。
【図２】本発明の一実施形態に係る包装箱が折り畳まれた状態を示す正面図である。
【図３】本発明の一実施形態に係る包装箱の組み立て途中において、底面部および天面部が折り曲げられる前の状態を示す正面図である。
【図４】図３の包装箱をＩＶ−ＩＶ線矢印方向から見た図である。
【図５】本発明の一実施形態に係る包装箱が組み立てられた状態を示す斜視図である。
【図６】本発明の一実施形態の変形例に係る包装箱を構成するシートの展開図である。
【発明を実施するための形態】
【００１０】
以下、本発明に基づいた一実施形態における包装箱について図を参照して説明する。以下の実施形態の説明においては、図中の同一または相当部分には同一符号を付して、その説明は繰返さない。
【００１１】
図１は、本発明の一実施形態に係る包装箱を構成するシートの展開図である。図２は、本発明の一実施形態に係る包装箱が折り畳まれた状態を示す正面図である。図においては、包装箱の、第１方向である横方向をＸ、第１方向に直交する第２方向である縦方向をＹ、奥行方向をＺで示している。
【００１２】
図１に示すように、本発明の一実施形態に係る包装箱は、１枚のシート１００ａから形成されている。ただし、包装箱の構成は、１枚のシートから形成されている構成に限られず、複数のシートが互いに貼り合わされている構成または互いに組み合わされている構成であってもよい。シート１００ａの材料としては、紙、樹脂、金属、または、これらの複合材料などを用いることができる。
【００１３】
図１，２に示すように、本発明の一実施形態に係る包装箱１００を構成するシート１００ａは、第１面部である背面部１１０と、第２面部である第１側面部１２１と、第３面部である第２側面部１２２と、第４面部である正面部１３０と、第５面部である底面部１６１と、第６面部である天面部１６２とを備える。
【００１４】
図１に示すように、背面部１１０、第１側面部１２１、正面部１３０および第２側面部１２２が、横方向Ｘにこの順で並んでいる。なお、第２側面部１２２が背面部１１０の第１側面部１２１側とは反対側に隣接するように設けられていてもよい。シート１００ａは、第２側面部１２２の正面部１３０側とは反対側に隣接するように設けられた糊付け部１２３をさらに備える。
【００１５】
底面部１６１は、正面部１３０の縦方向Ｙの一方の縁に設けられている。天面部１６２は、正面部１３０の縦方向Ｙの他方の縁に設けられている。
【００１６】
シート１００ａは、第１舌片部１４１、第２舌片部１４２、第３舌片部１４３および第４舌片部１４４をさらに備える。第１舌片部１４１は、第１側面部１２１の縦方向Ｙの一方の縁に設けられている。第２舌片部１４２は、第１側面部１２１の縦方向Ｙの他方の縁に設けられている。第３舌片部１４３は、第２側面部１２２の縦方向Ｙの一方の縁に設けられている。第４舌片部１４４は、第２側面部１２２の縦方向Ｙの他方の縁に設けられている。
【００１７】
シート１００ａは、内底部１５１および内蓋部１５２をさらに備える。内底部１５１は、背面部１１０の縦方向Ｙの一方の縁に設けられている。内蓋部１５２は、背面部１１０の縦方向Ｙの他方の縁に設けられている。
【００１８】
背面部１１０と第１側面部１２１との境界に、直線状の折り曲げ線Ｌ１１が設けられている。第１側面部１２１と正面部１３０との境界に、直線状の折り曲げ線Ｌ１２が設けられている。正面部１３０と第２側面部１２２との境界に、直線状の折り曲げ線Ｌ１３が設けられている。第２側面部１２２と糊付け部１２３との境界に、直線状の折り曲げ線Ｌ１４が設けられている。
【００１９】
背面部１１０と内底部１５１との境界において横方向Ｘの両端部に、直線状の折り曲げ線Ｌ１５が設けられている。背面部１１０と内底部１５１との境界において横方向Ｘの中央部に、直線状の切り込み線Ｃ１１が設けられている。
【００２０】
内底部１５１には、切り込み線Ｃ１１に沿って横方向Ｘに延在する係合孔１５１ｈが設けられている。内底部１５１の背面部１１０側とは反対側の端部に、横方向Ｘに互いに間隔をあけて１対の耳部１５１ｂが設けられている。１対の耳部１５１ｂの各々と内底部１５１との境界に、円弧状の折り曲げ線Ｌ２９が設けられている。
【００２１】
背面部１１０と内蓋部１５２との境界において横方向Ｘの両端部に、直線状の折り曲げ線Ｌ１６が設けられている。背面部１１０と内蓋部１５２との境界において横方向Ｘの中央部に、直線状の切り込み線Ｃ１２が設けられている。
【００２２】
内蓋部１５２には、切り込み線Ｃ１２に沿って横方向Ｘに延在する係合孔１５２ｈが設けられている。内蓋部１５２の背面部１１０側とは反対側の端部に、横方向Ｘに互いに間隔をあけて１対の耳部１５２ｂが設けられている。１対の耳部１５２ｂの各々と内蓋部１５２との境界に、円弧状の折り曲げ線Ｌ３０が設けられている。
【００２３】
第１側面部１２１と第１舌片部１４１との境界に、直線状の折り曲げ線Ｌ１７が設けられている。第１舌片部１４１の底面部１６１側の縁に、切欠部１４１ｃが設けられている。第１舌片部１４１において切欠部１４１ｃより先端側の部分は、係合孔１５１ｈと係合する係合片１４１ｔとなっている。
【００２４】
第１側面部１２１と第２舌片部１４２との境界に、直線状の折り曲げ線Ｌ１８が設けられている。第２舌片部１４２の天面部１６２側の縁に、切欠部１４２ｃが設けられている。第２舌片部１４２において切欠部１４２ｃより先端側の部分は、係合孔１５２ｈと係合する係合片１４２ｔとなっている。
【００２５】
第２側面部１２２と第３舌片部１４３との境界に、直線状の折り曲げ線Ｌ１９が設けられている。第３舌片部１４３の底面部１６１側の縁に、切欠部１４３ｃが設けられている。第３舌片部１４３において切欠部１４３ｃより先端側の部分は、係合孔１５１ｈと係合する係合片１４３ｔとなっている。
【００２６】
第２側面部１２２と第４舌片部１４４との境界に、直線状の折り曲げ線Ｌ２０が設けられている。第４舌片部１４４の天面部１６２側の縁に、切欠部１４４ｃが設けられている。第４舌片部１４４において切欠部１４４ｃより先端側の部分は、係合孔１５２ｈと係合する係合片１４４ｔとなっている。
【００２７】
正面部１３０と底面部１６１との境界に、直線状の折り曲げ線Ｌ３３が設けられている。正面部１３０には、折り曲げ線Ｌ３３の両端から縦方向Ｙに延在する１対の補助線Ｓ１１が設けられている。１対の補助線Ｓ１１の各々は、正面部１３０が、軽く押圧されてまたは部分的に切り込まれて、形成されている。底面部１６１の正面部１３０側とは反対側の端部に、切り込み線Ｃ１１によって形成された開口に差し込まれる突出片１６１ｂが設けられている。底面部１６１と突出片１６１ｂとの境界に、直線状の折り曲げ線Ｌ３１が設けられている。
【００２８】
正面部１３０と天面部１６２との境界に、直線状の折り曲げ線Ｌ３４が設けられている。正面部１３０には、折り曲げ線Ｌ３４の両端から縦方向Ｙに延在する１対の補助線Ｓ１２が設けられている。１対の補助線Ｓ１２の各々は、正面部１３０が、軽く押圧されてまたは部分的に切り込まれて、形成されている。天面部１６２の正面部１３０側とは反対側の端部に、切り込み線Ｃ１２によって形成された開口に差し込まれる突出片１６２ｂが設けられている。天面部１６２と突出片１６２ｂとの境界に、直線状の折り曲げ線Ｌ３２が設けられている。
【００２９】
第１舌片部１４１の根元部と、この根元部に隣接している正面部１３０の横方向Ｘの縁部との間に跨るように第１連結片１４５が設けられている。第１連結片１４５の形状は、略三角形である。第１連結片１４５と第１舌片部１４１との境界に、直線状の折り曲げ線Ｌ２１が設けられている。第１連結片１４５と正面部１３０との境界に、直線状の折り曲げ線Ｌ２２が設けられている。
【００３０】
第２舌片部１４２の根元部と、この根元部に隣接している正面部１３０の横方向Ｘの縁部との間に跨るように第２連結片１４６が設けられている。第２連結片１４６の形状は、略三角形である。第２連結片１４６と第２舌片部１４２との境界に、直線状の折り曲げ線Ｌ２３が設けられている。第２連結片１４６と正面部１３０との境界に、直線状の折り曲げ線Ｌ２４が設けられている。
【００３１】
第３舌片部１４３の根元部と、この根元部に隣接している正面部１３０の横方向Ｘの縁部との間に跨るように第３連結片１４７が設けられている。第３連結片１４７の形状は、略三角形である。第３連結片１４７と第３舌片部１４３との境界に、直線状の折り曲げ線Ｌ２５が設けられている。第３連結片１４７と正面部１３０との境界に、直線状の折り曲げ線Ｌ２６が設けられている。
【００３２】
第４舌片部１４４の根元部と、この根元部に隣接している正面部１３０の横方向Ｘの縁部との間に跨るように第４連結片１４８が設けられている。第４連結片１４８の形状は、略三角形である。第４連結片１４８と第４舌片部１４４との境界に、直線状の折り曲げ線Ｌ２７が設けられている。第４連結片１４８と正面部１３０との境界に、直線状の折り曲げ線Ｌ２８が設けられている。
【００３３】
本発明の一実施形態に係る包装箱１００においては、糊付け部１２３は、背面部１１０の内面に貼り合わされている。この状態において、背面部１１０、第１側面部１２１、正面部１３０および第２側面部１２２は、筒体を構成している。
【００３４】
図２に示すように、筒体が折り畳まれた状態において、正面部１３０は、背面部１１０、第１側面部１２１および第２側面部１２２と重なっている。底面部１６１は、内底部１５１と重なっている。天面部１６２は、内蓋部１５２と重なっている。
【００３５】
図３は、本発明の一実施形態に係る包装箱の組み立て途中において、底面部および天面部が折り曲げられる前の状態を示す正面図である。図４は、図３の包装箱をＩＶ−ＩＶ線矢印方向から見た図である。図５は、本発明の一実施形態に係る包装箱が組み立てられた状態を示す斜視図である。
【００３６】
図３〜図５に示すように、包装箱１００が組み立てられる際には、内底部１５１が折り曲げ線Ｌ１５で略垂直に正面部１３０側に折り曲げられ、１対の耳部１５１ｂの各々が折り曲げ線Ｌ２９で正面部１３０に沿うように折り曲げられる。
【００３７】
第１舌片部１４１は、折り曲げ線Ｌ１７で背面部１１０に沿うように折り曲げられ、係合片１４１ｔが係合孔１５１ｈと係合させられる。この状態において、第１連結片１４５は、隣接している正面部１３０の縁部を内底部１５１側に引き寄せている。
【００３８】
第３舌片部１４３は、折り曲げ線Ｌ１９で背面部１１０に沿うように折り曲げられ、係合片１４３ｔが係合孔１５１ｈと係合させられる。この状態において、第３連結片１４７は、隣接している正面部１３０の縁部を内底部１５１側に引き寄せている。
【００３９】
同様に、内蓋部１５２が折り曲げ線Ｌ１６で略垂直に正面部１３０側に折り曲げられ、１対の耳部１５２ｂの各々が折り曲げ線Ｌ３０で正面部１３０に沿うように折り曲げられる。
【００４０】
第２舌片部１４２は、折り曲げ線Ｌ１８で背面部１１０に沿うように折り曲げられ、係合片１４２ｔが係合孔１５２ｈと係合させられる。この状態において、第２連結片１４６は、隣接している正面部１３０の縁部を内蓋部１５２側に引き寄せている。
【００４１】
第４舌片部１４４は、折り曲げ線Ｌ２０で背面部１１０に沿うように折り曲げられ、係合片１４４ｔが係合孔１５２ｈと係合させられる。この状態において、第４連結片１４８は、隣接している正面部１３０の縁部を内蓋部１５２側に引き寄せている。
【００４２】
その後、底面部１６１が折り曲げ線Ｌ３３で略垂直に背面部１１０側に折り曲げられ、突出片１６１ｂが切り込み線Ｃ１１によって形成された開口に差し込まれる。同様に、天面部１６２が折り曲げ線Ｌ３４で略垂直に背面部１１０側に折り曲げられ、突出片１６２ｂが切り込み線Ｃ１２によって形成された開口に差し込まれる。
【００４３】
その結果、図５に示す包装箱１００が組み立てられる。組み立てられた包装箱１００においては、背面部１１０ｚは、横方向Ｘおよび縦方向Ｙに延在している。背面部１１０ｚの形状は、矩形である。
【００４４】
第１側面部１２１ｚは、背面部１１０ｚの横方向Ｘの一方側の縁から奥行方向Ｚに立設されている。第１側面部１２１ｚの形状は、矩形である。第２側面部１２２ｚは、背面部１１０ｚの横方向Ｘの他方側の縁から奥行方向Ｚに立設され、第１側面部１２１ｚと対向している。第２側面部１２２ｚの形状は、矩形である。
【００４５】
正面部１３０ｚは、背面部１１０ｚに対向し、第１側面部１２１ｚと第２側面部１２２ｚとを互いに接続している。正面部１３０ｚは、縦方向Ｙから見て、背面部１１０ｚ側とは反対側に凸状の湾曲形状を有している。縦方向Ｙから見た正面部１３０ｚの湾曲形状は、縦方向Ｙの端部の、１対の補助線Ｓ１１の間、および、１対の補助線Ｓ１２の間では、略平坦になっているが、縦方向Ｙの中央部に行くにしたがって滑らかな湾曲形状になっている。なお、１対の補助線Ｓ１１のうちの一方と１対の補助線Ｓ１２のうちの一方とが連続し、１対の補助線Ｓ１１のうちの他方と１対の補助線Ｓ１２のうちの他方とが連続していてもよい。
【００４６】
底面部１６１ｚは、筒体の縦方向Ｙの一方側の開口を塞ぐように配置されている。天面部１６２ｚは、筒体の縦方向Ｙの他方側の開口を塞ぐように配置され、底面部１６１ｚと対向している。
【００４７】
筒体の周面において、正面部１３０ｚの長さは、背面部１１０ｚと第１側面部１２１ｚと第２側面部１２２ｚとを合わせた長さと等しい。なお、図１に示す横方向Ｘにおける、正面部１３０の長さは、背面部１１０と第１側面部１２１と第２側面部１２２とを合わせた長さと必ずしも等しくなくてよい。たとえば、糊付け部１２３の第２側面部１２２側の端部が、背面部１１０とともに筒体の背面部１１０ｚを構成している場合には、図１に示す横方向Ｘにおける、正面部１３０の長さは、背面部１１０と第１側面部１２１と第２側面部１２２とを合わせた長さより長くなっている。
【００４８】
本実施形態に係る包装箱１００は、筒体の周面において、正面部１３０ｚの長さが、背面部１１０ｚと第１側面部１２１ｚと第２側面部１２２ｚとを合わせた長さと等しいことにより、筒体を構成した状態で平たく折り畳むことができる。その結果、被包装物を包装する前の包装箱１００を筒体の状態でコンパクトに保管することができる。また、包装箱１００の使用後に、包装箱１００を底面部１６１ｚおよび天面部１６２ｚが開放された筒体の状態で平たく折り畳んで廃棄することも可能となる。
【００４９】
本実施形態に係る包装箱１００は、第１連結片１４５および第３連結片１４７によって、正面部１３０を内底部１５１側に引き寄せていることにより、正面部１３０ｚの湾曲形状を維持することができる。同様に、第２連結片１４６および第４連結片１４８によって、正面部１３０を内蓋部１５２側に引き寄せていることにより、正面部１３０ｚの湾曲形状を維持することができる。
【００５０】
なお、第１連結片１４５、第２連結片１４６、第３連結片１４７および第４連結片１４８は、必ずしも設けられていなくてもよく、これらの少なくとも１つが設けられていてもよい。
【００５１】
また、筒体の縦方向Ｙの開口を塞ぐ構造は、上記に限られず、たとえば、各部が互いに貼り合わされることにより開口を塞ぐように構成されていてもよい。
【００５２】
さらに、折り曲げ線Ｌ１２および折り曲げ線Ｌ１３は、必ずしも設けられていなくてもよい。図６は、本発明の一実施形態の変形例に係る包装箱を構成するシートの展開図である。
【００５３】
図６に示すように、本発明の一実施形態の変形例に係る包装箱を構成するシート１００ｘにおいては、折り曲げ線Ｌ１２および折り曲げ線Ｌ１３が設けられていない。シート１００ｘは、第１舌片部１４１の根元部および第２舌片部１４２の根元部を基準に折り曲げられることにより第１側面部１２１ｚが出現し、第３舌片部１４３の根元部および第４舌片部１４４の根元部を基準に折り曲げられることにより第２側面部１２２ｚが出現し、図２に示すように筒体を構成した状態で平たく折り畳むことができる。
【００５４】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００５５】
１００  包装箱、１００ａ，１００ｘ  シート、１１０，１１０ｚ  背面部、１２１，１２１ｚ  第１側面部、１２２，１２２ｚ  第２側面部、１２３  糊付け部、１３０，１３０ｚ  正面部、１４１  第１舌片部、１４１ｃ，１４２ｃ，１４３ｃ，１４４ｃ  切欠部、１４１ｔ，１４２ｔ，１４３ｔ，１４４ｔ  係合片、１４２  第２舌片部、１４３  第３舌片部、１４４  第４舌片部、１４５  第１連結片、１４６  第２連結片、１４７  第３連結片、１４８  第４連結片、１５１  内底部、１５１ｂ，１５２ｂ  耳部、１５１ｈ，１５２ｈ  係合孔、１５２  内蓋部、１６１，１６１ｚ  底面部、１６１ｂ，１６２ｂ  突出片、１６２，１６２ｚ  天面部。
【図１】
2018177309.tif 000003
【図２】
2018177309.tif 000004
【図３】
2018177309.tif 000005
【図４】
2018177309.tif 000006
【図５】
2018177309.tif 000007
【図６】
2018177309.tif 000008